(57)【要約】【課題】  伸縮門扉を展開したときの寸法が門の出入口の寸法分だけで済む安価な門装置を提供する。【解決手段】  本発明の門装置１において、門柱３は内部に伸縮門扉５の収納空間１１を有しており、一側面には収納空間１１と外部を連通する開口部１５を有すると共に収納空間１１内を開口部１５側に移動自在な支持部材１７を有し、伸縮門扉５は一端５ａを支持部材１７に連結してあり、門柱３の開口部１５から外部に展開自在となっている。【選択図】      図１
2005299349.tif 000002
【特許請求の範囲】
【請求項１】
門柱と、伸縮門扉とを備え、門柱は内部に伸縮門扉の収納空間を有し、一側面には収納空間と外部を連通する開口部を有すると共に収納空間内を開口部側に移動自在な支持部材を有し、伸縮門扉は一端を支持部材に連結してあり、門柱の開口から外部に展開自在となっていることを特徴とする門装置。
【請求項２】
伸縮門扉を展開したときに、支持部材が門柱の開口部を塞ぐことを特徴とする請求項１に記載の門装置。
【発明の詳細な説明】
【技術分野】
【０００１】
本発明は、伸縮門扉を備える門装置に関するものである。
【背景技術】
【０００２】
特許文献１には、門柱の内部に伸縮門扉の収納空間を設け、門柱の一側面に設けた開口部から収納空間の奥側にある内壁に伸縮門扉の一端を固定し、門の出入口を閉じるときには伸縮門扉の他端を引き出して伸縮門扉を展開し、門の出入口を開くときには伸縮門扉を縮めて門柱内に伸縮門扉を収納することが開示されている。
【０００３】
【特許文献１】特開２００１−２４８３７３号公報
【発明の開示】
【発明が解決しようとする課題】
【０００４】
しかし、上述した特許文献１に開示の技術では、伸縮門扉の一端を門柱の内壁に固定しているので、伸縮門扉を展開して門の出入口を閉じる場合、伸縮門扉は門の出入口の長さと門柱の収納空間の長さを合わせた長さが必要になる。
したがって、伸縮門扉は展開したときの長さが門の出入り部分の長さよりも長く必要になるため、高価になるという問題がある。
そこで本発明は、伸縮門扉を展開したときの寸法が門の出入口の寸法分だけで済む安価な門装置の提供を目的とする。
【課題を解決するための手段】
【０００５】
請求項１に記載の発明は、門柱と、伸縮門扉とを備え、門柱は内部に伸縮門扉の収納空間を有し、一側面には収納空間と外部を連通する開口部を有すると共に収納空間内を開口部側に移動自在な支持部材を有し、伸縮門扉は一端を支持部材に連結してあり、門柱の開口から外部に展開自在となっていることを特徴とする。
【０００６】
請求項２に記載の発明は、請求項１に記載の発明において、伸縮門扉を展開したときに、支持部材が門柱の開口部を塞ぐことを特徴とする。
【発明の効果】
【０００７】
請求項１に記載の発明では、伸縮門扉の一端を連結している支持部材は門柱の収納空間内を開口部側に移動自在に設けているので、伸縮部材を門柱の開口から展開して門柱の出入口を閉じる。
したがって、伸縮門扉の長さは門の出入口の寸法分あればよく、従来技術のような門柱の収納空間内の寸法分を余計に必要としないので、安価である。
【０００８】
請求項２に記載の発明は、請求項１に記載の作用効果を奏すると共に、伸縮門扉を展開して門の出入口を閉じるときには門柱の開口部を支持部材が塞ぐので、門の出入口を閉じたときの外観が良い。また、支持部材が開口部を塞ぐから門柱の内部にゴミ等が入り難い。
【発明を実施するための最良の形態】
【０００９】
以下に、添付図面を参照して本発明の実施の形態を詳細に説明する。図１（ａ）は図３の門装置を上から見た平面図であり、（ｂ）は伸縮門扉を門柱内に収納した状態における門柱の横断面図であり、図２は図１（ｂ）のＢ−Ｂ断面において連結部を除いて示す図であり、図３は本発明の実施の形態にかかる門装置において伸縮門扉を展開して門の出入口を閉じた状態を示す正面図である。
本実施の形態にかかる門装置１は、門柱３と、伸縮門扉５とを備えており、門装置１の隣には袖門８が設けてある。袖門８は支柱７と、一側を支柱７に回動自在に連結された扉９とから構成されている。
門柱３は、内部に伸縮門扉５の収納空間１１を有すると共に、門の出入口１３側にある一側面３ａには収納空間１１と外部を連通する開口部１５が設けてある。収納空間１１の上部には伸縮門扉５の引き出し方向と略平行なレール２１が設けてある。
また、収納空間１１内には支持部材１７が設けてあり、支持部材１７の車輪１８がレール２１に係合して吊り下げてあり、支持部材１７はレール２１に沿って、開口部１５と開口部１５の奥側の内壁１９との間を移動自在になっている。尚、レール２１の長手方向両端にはストッパが設けてあり、レール２１の両端で支持部材１７の移動を制限してある。
支持部材１７はパネルであり、開口部１５側に移動したときに開口部１５を塞ぐようになっている。
支持部材１７には伸縮門扉５の一端５ａを連結する連結部２５が設けてあり、連結部２５では伸縮門扉５の一端５ａを垂直軸周りに回動可能に連結している。
伸縮門扉５は隣合う左右の扉部分６を軸部１２により相互に垂直軸周りに回動自在に連結してあり、縮めたときには隣合う扉部分６が重なって門柱３の収納空間１１内に納められている。
伸縮門扉５の他端５ｂには移動支柱２７が連結されており、移動支柱２７の下端にはキャスタ２９が設けてあり、門の出入口１３に沿って設けたレール３１上を移動自在である。
移動支柱２７には、袖門８の扉９を閉じたときの戸当りを兼ねており、扉９の鍵受け３２が設けてある。
【００１０】
次に、本実施の形態にかかる門装置１の作用及び効果を説明する。
施工時における伸縮門扉５の取り付けは、門柱３の収納空間１１内に移動自在に設けた支持部材１７を開口部１５側に引き出して、伸縮門扉５の一端５ａを連結する。したがって、伸縮門扉５の取り付けは、門柱３の外側からの作業で支持部材１７に連結することができるので、施工しやすい。
門の出入口１３を閉じるときには、伸縮門扉５の他端５ｂに連結してある移動支柱２７をレール３１に沿って引き出すと共に伸縮門扉５を展開し、門の出入口１３を閉じた位置で移動支柱２７を落し棒３３で固定する。一方、門柱３内を移動自在に設けたある支持部材１７は、伸縮門扉５の引き出しに伴って開口部１５側に移動して開口部１５を閉じる。
門の出入口１３を開けるときには、移動支柱２７の落し棒３３を外し、移動支柱２７を門柱３側に移動する。移動支柱２７はレール３１上を門柱３側移動し、伸縮門扉５は折り畳まれつつ支持部材１７も門柱３内のレール２１に沿って開口部１５から奥側に移動し、門柱３の収納空間１１に伸縮門扉５を折り畳んで収納する。
本実施の形態によれば、伸縮門扉５の一端を連結している支持部材１７は門柱３の収納空間１１内を開口部１５側に移動自在に設けているので、伸縮門扉５を展開して門の出入口１３を閉じたときには、支持部材１７と共に伸縮門扉５の一端が門柱の開口部１５に位置して門の出入口１３を閉じる。したがって、伸縮門扉５の長さは門の出入口１３の寸法分あればよく、従来技術のような門柱の収納空間内の寸法分を余計に必要としないので、安価である。
伸縮門扉５を展開して門の出入口１３を閉じるときには門柱３の開口部１５を支持部材１７が塞ぐので、伸縮門扉５の展開時における外観が良い。また、支持部材１７が開口部１７を塞ぐから門柱３の内部にゴミ等が入り難い。尚、本実施の形態では、支持部材１７は開口部１５において、上下に多少の隙間があいているが、かかる隙間があっても紙くずやビニール袋等のゴミが門柱３の内部に入り難い。
【００１１】
本発明は、上述した実施の形態に限らず、本発明の要旨を逸脱しない範囲で種々変形可能である。
移動支柱２７はなくてもよく、門の出入口１３を閉じるときには、伸縮門扉５を展開して他端を予め門の出入口１３に固定してある支柱に係止する構成としてもよい。
袖門８はなくてもよい。
支持部材１７は、収納空間１１の上部に設けたレール２１に吊り下げることに限らず、下部に設けたレール上を移動するものであってもよいし、支持部材１７の移動機構は限定されない。
伸縮門扉５は水平方向に伸縮するパンタグラフ状に構成したものであってもよい。
支持部材１７は門柱の開口部１５を密閉するように閉じてもよいし、開口部１５を閉じたときに上下の他に左右に隙間があってもよい。また、支持部材１７はメッシュや格子で形成したものであってもよい。
【図面の簡単な説明】
【００１２】
【図１】（ａ）は図３の門装置を上から見た平面図であり、（ｂ）は伸縮門扉を門柱内に収納した状態を示す門柱の横断面図である。
【図２】図１（ｂ）のＢ−Ｂ断面において連結部を除いて示す図である。
【図３】本発明の実施の形態にかかる門装置において伸縮門扉を展開して門の出入口を閉じた状態を示す正面図である。
【符号の説明】
【００１３】
１      門装置
３      門柱
５      伸縮門扉
５ａ    一端
１１    収納空間
１３    門の出入口
１５    開口部
１７    支持部材
【図１】
2005299349.tif 000003
【図２】
2005299349.tif 000004
【図３】
2005299349.tif 000005